(57)【要約】【課題】プランジャーと筒部との間に異物を侵入させないことで、プランジャーの摺動動作を安定して行わせることができる電磁弁、及びこの電磁弁を用いた給湯機を提供すること。【解決手段】本発明の電磁弁は、弁体２０と拡大部５２との間には背圧室６０が形成され、背圧室６０は、バイパス孔２４によって流入管路１１と連通し、パイロット孔２３をディスク３１で閉塞することで、背圧室６０はバイパス孔２４によって流出管路１２よりも高い圧力となって弁体２０を閉状態に維持し、プランジャー３０を動作させてパイロット孔２３を開放することで、背圧室６０はパイロット孔２３によって流入管路１１よりも低い圧力となって弁体２０を開状態に維持し、背圧室６０に、バイパス孔２４から流入する異物をプランジャー３０と筒部５１との間に侵入させない異物侵入防止材７０を設けたことを特徴とする。【選択図】        図１
2019049313.tif 000002
【特許請求の範囲】
【請求項１】
流入管路と流出管路とをボディ内に形成し、
前記流出管路の上流に弁座を形成し、
前記弁座の上流で前記流入管路の下流に弁体を配置し、
前記弁体を動作させるプランジャーと、
前記プランジャーを動作させる電磁コイルと、
前記プランジャーを内部に収納するプランジャーガイドと
を有し、
前記弁体が、
前記弁座の開口径より大きいダイヤフラムプレートと、
前記ダイヤフラムプレートの外周から延出するダイヤフラムと、
前記ダイヤフラムプレートの中心を貫通するパイロット孔と
前記ダイヤフラムプレートの前記外周を貫通するバイパス孔と
を備え、
前記プランジャーガイドが、
前記プランジャーが摺動する筒部と、
前記筒部の開口側に形成される拡大部と
を備え、
前記プランジャーの先端には、弾性体からなるディスクを備え、
前記弁体と前記拡大部との間には背圧室が形成され、
前記背圧室は、前記バイパス孔によって前記流入管路と連通し、
前記パイロット孔を前記ディスクで閉塞することで、前記背圧室は前記バイパス孔によって前記流出管路よりも高い圧力となって前記弁体を閉状態に維持し、
前記プランジャーを動作させて前記パイロット孔を開放することで、前記背圧室は前記パイロット孔によって前記流入管路よりも低い圧力となって前記弁体を開状態に維持する
電磁弁であって、
前記背圧室に、前記バイパス孔から流入する異物を前記プランジャーと前記筒部との間に侵入させない異物侵入防止材を設けた
ことを特徴とする電磁弁。
【請求項２】
前記異物侵入防止材を円盤状に形成し、
前記異物侵入防止材の中心部を前記プランジャーの前記先端に取り付け、
前記異物侵入防止材の外周部を前記拡大部に取り付けた
ことを特徴とする請求項１に記載の電磁弁。
【請求項３】
前記異物侵入防止材をリング状に形成し、
前記異物侵入防止材の内周部を前記プランジャーの前記先端に取り付け、
前記異物侵入防止材の外周部を前記拡大部に取り付けた
ことを特徴とする請求項１に記載の電磁弁。
【請求項４】
前記異物侵入防止材の前記プランジャーの前記先端への取り付けに、前記ディスクを用いた
ことを特徴とする請求項２又は請求項３に記載の電磁弁。
【請求項５】
前記異物侵入防止材の前記外周部を、止め輪によって前記拡大部に取り付けた
ことを特徴とする請求項２から請求項４のいずれか１項に記載の電磁弁。
【請求項６】
前記拡大部には、リング状凹部を有し、
前記止め輪を、前記リング状凹部の外周面又は内周面に取り付けた
ことを特徴とする請求項５に記載の電磁弁。
【請求項７】
前記異物侵入防止材の前記外周部を、超音波溶着によって前記拡大部に取り付けた
ことを特徴とする請求項２から請求項４のいずれか１項に記載の電磁弁。
【請求項８】
前記異物侵入防止材を、液体が通過する材料で形成した
ことを特徴とする請求項１から請求項６のいずれか１項に記載の電磁弁。
【請求項９】
前記材料として不織布を用いた
ことを特徴とする請求項８に記載の電磁弁。
【請求項１０】
請求項１から請求項９のいずれか１項に記載の電磁弁を用いた給湯機であって、
温水を貯湯する貯湯タンクと、
前記貯湯タンクの水を加熱する加熱ユニットと、
前記貯湯タンクに給水する給水管と、
前記貯湯タンクから出湯する出湯管と、
前記給水管に設けた減圧弁と、
前記出湯管に設けた混合弁と
を備え、
前記減圧弁の上流側の前記給水管に前記電磁弁を設けた
ことを特徴とする電磁弁を用いた給湯機。
【請求項１１】
請求項１から請求項９のいずれか１項に記載の電磁弁を用いた給湯機であって、
温水を貯湯する貯湯タンクと、
前記貯湯タンクの水を加熱する加熱ユニットと、
前記貯湯タンクに給水する給水管と、
前記貯湯タンクから出湯する出湯管と、
前記給水管に設けた減圧弁と、
前記出湯管に設けた混合弁と
を備え、
前記混合弁の下流側の前記出湯管に前記電磁弁を設けた
ことを特徴とする電磁弁を用いた給湯機。
【発明の詳細な説明】
【技術分野】
【０００１】
本発明は、パイロット孔を開閉することで弁体が開閉する電磁弁、及びこの電磁弁を用いた給湯機に関する。
【背景技術】
【０００２】
パイロット孔を開閉することで弁体が開閉する電磁弁を図７に示す。
図７は従来例による電磁弁の断面図であり、図７（ａ）は弁体の閉状態を示し、図７（ｂ）は弁体の開状態を示している。
電磁弁１０１は、弁体１２０と、弁体１２０を動作させるプランジャー１３０と、プランジャー１３０を収納するプランジャーガイド１５０とを有している。
弁体１２０は、弁体１２０の中心を貫通するパイロット孔１２３と、弁体１２０の外周を貫通するバイパス孔１２４とを備えている。
弁体１２０とプランジャーガイド１５０との間には背圧室１６０が形成され、背圧室１６０は、バイパス孔１２４によって流入管路１１１と連通している。
図７（ａ）に示すように、パイロット孔１２３を閉塞することで弁体１２０を閉状態に維持し、図７（ｂ）に示すように、パイロット孔１２３を開放することで弁体１２０を開状態に維持する。
このような電磁弁は、例えば特許文献１に開示されている。
【先行技術文献】
【特許文献】
【０００３】
【特許文献１】特開２０１２−２４１８１３号公報
【発明の概要】
【発明が解決しようとする課題】
【０００４】
従来例による電磁弁１０１では、流入管路１１１にフィルター１１４を設けているが、通水抵抗を増大させないために、一般には６０メッシュ程度のフィルター１１４が用いられる。
従って、細かな異物は、フィルター１１４を通過し、バイパス孔１２４から背圧室１６０に侵入する。
背圧室１６０に侵入した異物は、プランジャー１３０とプランジャーガイド１５０との間に流れ込むことがあり、異物によりプランジャー１３０が摺動不良になってしまう。
【０００５】
そこで本発明は、プランジャーと筒部との間に異物を侵入させないことで、プランジャーの摺動動作を安定して行わせることができる電磁弁、及びこの電磁弁を用いた給湯機を提供することを目的とする。
【課題を解決するための手段】
【０００６】
請求項１記載の本発明の電磁弁は、流入管路１１と流出管路１２とをボディ１０内に形成し、前記流出管路１２の上流に弁座１３を形成し、前記弁座１３の上流で前記流入管路１１の下流に弁体２０を配置し、前記弁体２０を動作させるプランジャー３０と、前記プランジャー３０を動作させる電磁コイル４０と、前記プランジャー３０を内部に収納するプランジャーガイド５０とを有し、前記弁体２０が、前記弁座１３の開口径より大きいダイヤフラムプレート２１と、前記ダイヤフラムプレート２１の外周から延出するダイヤフラム２２と、前記ダイヤフラムプレート２１の中心を貫通するパイロット孔２３と前記ダイヤフラムプレート２１の前記外周を貫通するバイパス孔２４とを備え、前記プランジャーガイド５０が、前記プランジャー３０が摺動する筒部５１と、前記筒部５１の開口側に形成される拡大部５２とを備え、前記プランジャー３０の先端には、弾性体からなるディスク３１を備え、前記弁体２０と前記拡大部５２との間には背圧室６０が形成され、前記背圧室６０は、前記バイパス孔２４によって前記流入管路１１と連通し、前記パイロット孔２３を前記ディスク３１で閉塞することで、前記背圧室６０は前記バイパス孔２４によって前記流出管路１２よりも高い圧力となって前記弁体２０を閉状態に維持し、前記プランジャー３０を動作させて前記パイロット孔２３を開放することで、前記背圧室６０は前記パイロット孔２３によって前記流入管路１１よりも低い圧力となって前記弁体２０を開状態に維持する電磁弁１であって、前記背圧室６０に、前記バイパス孔２４から流入する異物を前記プランジャー３０と前記筒部５１との間に侵入させない異物侵入防止材７０を設けたことを特徴とする。
請求項２記載の本発明の電磁弁は、請求項１に記載の電磁弁において、前記異物侵入防止材７０を円盤状に形成し、前記異物侵入防止材７０の中心部を前記プランジャー３０の前記先端に取り付け、前記異物侵入防止材７０の外周部を前記拡大部５２に取り付けたことを特徴とする。
請求項３記載の本発明は、請求項１に記載の電磁弁において、前記異物侵入防止材７０をリング状に形成し、前記異物侵入防止材７０の内周部を前記プランジャー３０の前記先端に取り付け、前記異物侵入防止材７０の外周部を前記拡大部５２に取り付けたことを特徴とする。
請求項４記載の本発明は、請求項２又は請求項３に記載の電磁弁において、前記異物侵入防止材７０の前記プランジャー３０の前記先端への取り付けに、前記ディスク３１を用いたことを特徴とする。
請求項５記載の本発明は、請求項２から請求項４のいずれか１項に記載の電磁弁において、前記異物侵入防止材７０の前記外周部を、止め輪によって前記拡大部５２に取り付けたことを特徴とする。
請求項６記載の本発明は、請求項５に記載の電磁弁において、前記拡大部５２には、リング状凹部５３を有し、前記止め輪を、前記リング状凹部５３の外周面５３ｙ又は内周面５３ｘに取り付けたことを特徴とする。
請求項７記載の本発明は、請求項２から請求項４のいずれか１項に記載の電磁弁において、前記異物侵入防止材７０の前記外周部を、超音波溶着によって前記拡大部５２に取り付けたことを特徴とする。
請求項８記載の本発明は、請求項１から請求項６のいずれか１項に記載の電磁弁において、前記異物侵入防止材７０を、液体が通過する材料で形成したことを特徴とする。
請求項９記載の本発明は、請求項８に記載の電磁弁において、前記材料として不織布を用いたことを特徴とする。
請求項１０記載の本発明の電磁弁を用いた給湯機は、請求項１から請求項９のいずれか１項に記載の電磁弁を用いた給湯機であって、温水を貯湯する貯湯タンク８１と、前記貯湯タンク８１の水を加熱する加熱ユニット８２と、前記貯湯タンク８１に給水する給水管８３と、前記貯湯タンク８１から出湯する出湯管８４と、前記給水管８３に設けた減圧弁８５と、前記出湯管８４に設けた混合弁８６とを備え、前記減圧弁８５の上流側の前記給水管８３に前記電磁弁１を設けたことを特徴とする。
請求項１１記載の本発明の電磁弁を用いた給湯機は、請求項１に記載の電磁弁において、請求項１から請求項９のいずれか１項に記載の電磁弁を用いた給湯機であって、温水を貯湯する貯湯タンク８１と、前記貯湯タンク８１の水を加熱する加熱ユニット８２と、前記貯湯タンク８１に給水する給水管８３と、前記貯湯タンク８１から出湯する出湯管８４と、前記給水管８３に設けた減圧弁８５と、前記出湯管８４に設けた混合弁８６とを備え、前記混合弁８６の下流側の前記出湯管８４に前記電磁弁１を設けたことを特徴とする。
【発明の効果】
【０００７】
本発明によれば、プランジャーと筒部との間に異物を侵入させないことで、プランジャーの摺動動作を安定して行わせることができる。
【図面の簡単な説明】
【０００８】
【図１】本発明の一実施例による電磁弁の断面図
【図２】本実施例による電磁弁を用いた給湯機の構成図
【図３】図１に示す電磁弁の第１実施形態の要部断面図
【図４】図１に示す電磁弁の第２実施形態の要部断面図
【図５】図１に示す電磁弁の第３実施形態の要部断面図
【図６】図１に示す電磁弁の第４実施形態の要部断面図
【図７】従来例による電磁弁の断面図
【発明を実施するための形態】
【０００９】
本発明の第１の実施の形態による電磁弁は、背圧室に、バイパス孔から流入する異物をプランジャーと筒部との間に侵入させない異物侵入防止材を設けたものである。本実施の形態によれば、プランジャーと筒部との間に異物を侵入させないことで、プランジャーの摺動動作を安定して行わせることができる。
【００１０】
本発明の第２の実施の形態は、第１の実施の形態による電磁弁において、異物侵入防止材を円盤状に形成し、異物侵入防止材の中心部をプランジャーの先端に取り付け、異物侵入防止材の外周部を拡大部に取り付けたものである。本実施の形態によれば、パイロット孔とバイパス孔とは、異物侵入防止材が存在することなく連通するため、弁体の開閉動作に支障を生じない。
【００１１】
本発明の第３の実施の形態は、第１の実施の形態による電磁弁において、異物侵入防止材をリング状に形成し、異物侵入防止材の内周部をプランジャーの先端に取り付け、異物侵入防止材の外周部を拡大部に取り付けたものである。本実施の形態によれば、パイロット孔とバイパス孔とは、異物侵入防止材が存在することなく連通するため、弁体の開閉動作に支障を生じない。
【００１２】
本発明の第４の実施の形態は、第２又は第３の実施の形態による電磁弁において、異物侵入防止材のプランジャーの先端への取り付けに、ディスクを用いたものである。本実施の形態によれば、プランジャーの先端へのディスクの取り付け時に異物侵入防止材を取り付けることができるため、製造工程の負担を軽減できるとともに、確実な取り付けを行える。
【００１３】
本発明の第５の実施の形態は、第２から第４の実施の形態による電磁弁において、異物侵入防止材の外周部を、止め輪によって拡大部に取り付けたものである。本実施の形態によれば、止め輪を用いることで異物侵入防止材の確実な取り付けを行うことができる。
【００１４】
本発明の第６の実施の形態は、第５の実施の形態による電磁弁において、拡大部には、リング状凹部を有し、止め輪を、リング状凹部の外周面又は内周面に取り付けたものである。本実施の形態によれば、リング状凹部の外周面又は内周面によって止め輪を容易に取り付けることができる。
【００１５】
本発明の第７の実施の形態は、第２から第４の実施の形態による電磁弁において、異物侵入防止材の外周部を、超音波溶着によって拡大部に取り付けたものである。本実施の形態によれば、超音波溶着によって異物侵入防止材の確実な取り付けを行える。
【００１６】
本発明の第８の実施の形態は、第１から第６のいずれかの実施の形態による電磁弁において、異物侵入防止材を、液体が通過する材料で形成したものである。本実施の形態によれば、プランジャーと筒部との間に流体を存在させることができるため、プランジャーの動作に支障を与えない。
【００１７】
本発明の第９の実施の形態は、第８の実施の形態による電磁弁において、材料として不織布を用いたものである。本実施の形態によれば、異物侵入防止材に液体を通過させることができるとともに変形し易いためプランジャーの動作に影響を与えない。
【００１８】
本発明の第１０の実施の形態は、第１から第９のいずれかの実施の形態による電磁弁を用いた給湯機であって、減圧弁の上流側の給水管に電磁弁を設けたものである。本実施の形態によれば、給水管から流れ込む異物による影響を受けずに電磁弁が動作するため、給水を確実に行える。
【００１９】
本発明の第１１の実施の形態は、第１から第９のいずれかの実施の形態による電磁弁を用いた給湯機であって、混合弁の下流側の出湯管に電磁弁を設けたものである。本実施の形態によれば、貯湯タンクから吐出される異物による影響を受けずに電磁弁が動作するため、出湯を確実に行える。
【実施例】
【００２０】
以下、本発明の一実施例について図面を参照しながら説明する。
図１は本実施例による電磁弁の断面図であり、図１（ａ）は弁体の閉状態を示し、図１（ｂ）は弁体の開状態を示している。
本実施例による電磁弁１は、ボディ１０内に、流入管路１１と流出管路１２とを形成し、流出管路１２の上流に弁座１３を形成している。流入管路１１にはフィルター１４を設けている。
電磁弁１は、弁座１３の上流で流入管路１１の下流に配置される弁体２０と、弁体２０を動作させるプランジャー３０と、プランジャー３０を動作させる電磁コイル４０と、プランジャー３０を内部に収納するプランジャーガイド５０とを有している。
弁体２０とプランジャー３０とは、流出管路１２と同軸上に配置される。
【００２１】
弁体２０は、弁座１３の開口径より大きいダイヤフラムプレート２１と、ダイヤフラムプレート２１の外周から延出するダイヤフラム２２と、ダイヤフラムプレート２１の中心を貫通するパイロット孔２３と、ダイヤフラムプレート２１の外周を貫通するバイパス孔２４とを備えている。
ダイヤフラムプレート２１の中心には、プランジャー３０側に突出させた第１突出部２１ａと、流出管路１２側に突出させた第２突出部２１ｂとが形成され、パイロット孔２３の一端は第１突出部２１ａに形成され、パイロット孔２３の他端は第２突出部２１ｂに形成されている。
ダイヤフラム２２は、ダイヤフラムプレート２１の外周から延出するダイヤフラム外周部２２ａと、ダイヤフラムプレート２１の流出管路１２側の面の一部を覆うダイヤフラム内周部２２ｂとを備えている。弁座１３には、ダイヤフラム内周部２２ｂが当接する。
【００２２】
プランジャー３０の先端には、弾性体からなるディスク３１を備えている。また、プランジャー３０の後端には、プランジャー３０を押圧するバネ３２を配置している。
電磁コイル４０は、プランジャー３０の外周に配置されている。
【００２３】
プランジャーガイド５０は、プランジャー３０が摺動する筒部５１と、筒部５１の開口側に形成される拡大部５２とを備えている。
【００２４】
弁体２０と拡大部５２との間には背圧室６０が形成されている。背圧室６０は、バイパス孔２４によって流入管路１１と連通している。
【００２５】
図１（ａ）は、電磁コイル４０への通電がＯＦＦで、プランジャー３０がバネ３２によって押圧され、弁体２０に当接した状態にある。
図１（ａ）の状態では、パイロット孔２３をディスク３１で閉塞するため、背圧室６０はバイパス孔２４によって流入管路１１と連通しているため、流出管路１２よりも高い圧力となって弁体２０を閉状態に維持する。
【００２６】
図１（ｂ）は、電磁コイル４０への通電をＯＮとし、プランジャー３０を弁体２０から引き離す方向に動作させた状態にある。
図１（ｂ）の状態では、パイロット孔２３が開放されるため、背圧室６０内の流体は流出管路１２に流れ、背圧室６０は流入管路１１よりも低い圧力となり、一方で弁体２０の弁座１３側の面には流入管路１１の圧力が加わるため、弁体２０は開状態を維持する。
【００２７】
背圧室６０には、バイパス孔２４から流入する異物を、プランジャー３０と筒部５１との間に侵入させない異物侵入防止材７０を設けている。
異物侵入防止材７０によって、プランジャー３０と筒部５１との間に異物を侵入させないことで、プランジャー３０の摺動動作を安定して行わせることができる。
異物侵入防止材７０は、液体が通過する材料で形成することが好ましく、不織布を用いることができる。異物侵入防止材７０を、液体が通過する材料で形成することで、プランジャー３０と筒部５１との間に流体を存在させることができるため、プランジャー３０の動作に支障を与えない。また、異物侵入防止材７０に不織布を用いることで、液体を通過させることができるとともに変形し易いためプランジャー３０の動作に影響を与えない。
【００２８】
図２は本実施例による電磁弁を用いた給湯機の構成図である。
本実施例による給湯機は、温水を貯湯する貯湯タンク８１と、貯湯タンク８１内の水を加熱する加熱ユニット８２と、貯湯タンク８１に給水する給水管８３と、貯湯タンク８１から出湯する出湯管８４と、給水管８３に設けた減圧弁８５と、出湯管８４に設けた混合弁８６と、給水管８３から分岐して混合弁８６に接続される給水分岐管８７と、貯湯タンク８１下部の水を加熱ユニット８２に導く往き管８８と、加熱ユニット８２から貯湯タンク８１に温水を戻す戻り管８９とを備えている。
往き管８８にはポンプ８８ａを設けている。
戻り管８９は、三方弁８９ａによって、タンク上戻り管８９ｂとタンク下戻り管８９ｃとに分岐し、タンク上戻り管８９ｂは貯湯タンク８１の上部に接続され、タンク下戻り管８９ｃは貯湯タンク８１の下部に接続されている。
加熱ユニット８２は、圧縮機８２ａと、水熱交換器８２ｂと、膨張弁８２ｃと、空気熱交換器８２ｄとを備えている。往き管８８と戻り管８９とは、水熱交換器８２ｂに接続されている。
【００２９】
本実施例による給湯機は、減圧弁８５の上流側の給水管８３に電磁弁１を設けている。電磁弁１を設けることで、給水管８３から流れ込む異物による影響を受けずに電磁弁１が動作するため、給水を確実に行える。
また、本実施例による給湯機は、混合弁８６の下流側の出湯管８４に電磁弁１を設けている。電磁弁１を設けることで、貯湯タンク８１から吐出される異物による影響を受けずに電磁弁１が動作するため、出湯を確実に行える。
【００３０】
図３は図１に示す電磁弁の第１実施形態の要部断面図である。
図３に示す第１実施形態による電磁弁１Ａは、異物侵入防止材７０Ａを円盤状に形成し、異物侵入防止材７０Ａの中心部７１Ａをプランジャー３０の先端に取り付け、異物侵入防止材７０Ａの外周部７２Ａを拡大部５２に取り付けている。
異物侵入防止材７０Ａのプランジャー３０の先端への取り付けには、ディスク３１を用いている。プランジャー３０の先端には、ディスク３１をはめ込む凹部が形成されている。異物侵入防止材７０Ａの中心部７１Ａは、ディスク３１によってこの凹部にはめ込まれる。
異物侵入防止材７０Ａの外周部７２Ａは、止め輪７３Ａによって拡大部５２に取り付けている。拡大部５２には、リング状凹部５３を有し、止め輪７３Ａを、リング状凹部５３の内周面５３ｘに取り付け、止め輪７３Ａとリング状凹部５３の内周面５３ｘとの間に、異物侵入防止材７０Ａの外周部７２Ａをはめ込むことで取り付ける。
【００３１】
第１実施形態によれば、パイロット孔２３とバイパス孔２４とは、異物侵入防止材７０Ａが存在することなく連通するため、弁体２０の開閉動作に支障を生じない。
また、第１実施形態によれば、プランジャー３０の先端へのディスク３１の取り付け時に異物侵入防止材７０Ａを取り付けることができるため、製造工程の負担を軽減できるとともに、確実な取り付けを行える。
また、第１実施形態によれば、止め輪７３Ａを用いることで異物侵入防止材７０Ａの確実な取り付けを行うことができる。
また、第１実施形態によれば、リング状凹部５３の内周面５３ｘによって止め輪７３Ａを容易に取り付けることができる。
【００３２】
図４は図１に示す電磁弁の第２実施形態の要部断面図である。
図４に示す第２実施形態による電磁弁１Ｂは、異物侵入防止材７０Ｂを円盤状に形成し、異物侵入防止材７０Ｂの中心部７１Ｂをプランジャー３０の先端に取り付け、異物侵入防止材７０Ｂの外周部７２Ｂを拡大部５２に取り付けている。
異物侵入防止材７０Ｂのプランジャー３０の先端への取り付けには、ディスク３１を用いている。プランジャー３０の先端には、ディスク３１をはめ込む凹部が形成されている。異物侵入防止材７０Ｂの中心部７１Ｂは、ディスク３１によってこの凹部にはめ込まれる。
異物侵入防止材７０Ｂの外周部７２Ｂは、止め輪７３Ｂによって拡大部５２に取り付けている。拡大部５２には、リング状凹部５３を有し、止め輪７３Ｂを、リング状凹部５３の外周面５３ｙに取り付け、止め輪７３Ｂとリング状凹部５３の外周面５３ｙとの間に、異物侵入防止材７０Ｂの外周部７２Ｂをはめ込むことで取り付ける。
【００３３】
第２実施形態によれば、パイロット孔２３とバイパス孔２４とは、異物侵入防止材７０Ｂが存在することなく連通するため、弁体２０の開閉動作に支障を生じない。
また、第２実施形態によれば、プランジャー３０の先端へのディスク３１の取り付け時に異物侵入防止材７０Ｂを取り付けることができるため、製造工程の負担を軽減できるとともに、確実な取り付けを行える。
また、第２実施形態によれば、止め輪７３Ｂを用いることで異物侵入防止材７０Ｂの確実な取り付けを行うことができる。
また、第２実施形態によれば、リング状凹部５３の外周面５３ｙによって止め輪７３Ｂを容易に取り付けることができる。
【００３４】
図５は図１に示す電磁弁の第３実施形態の要部断面図である。
図５に示す第３実施形態による電磁弁１Ｃは、異物侵入防止材７０Ｃをリング状に形成し、異物侵入防止材７０Ｃの内周部７１Ｃをプランジャー３０の先端に取り付け、異物侵入防止材７０Ｃの外周部７２Ｃを拡大部５２に取り付けている。
異物侵入防止材７０Ｃのプランジャー３０の先端への取り付けには、ディスク３１を用いている。プランジャー３０の先端には、ディスク３１をはめ込む凹部が形成されている。異物侵入防止材７０Ｃの内周部７１Ｃは、ディスク３１によってこの凹部にはめ込まれる。
異物侵入防止材７０Ｃの外周部７２Ｃは、止め輪７３Ｃによって拡大部５２に取り付けている。拡大部５２には、リング状凹部５３を有し、止め輪７３Ｃを、リング状凹部５３の外周面５３ｙに取り付け、止め輪７３Ｃとリング状凹部５３の外周面５３ｙとの間に、異物侵入防止材７０Ｃの外周部７２Ｃをはめ込むことで取り付ける。
【００３５】
第３実施形態によれば、パイロット孔２３とバイパス孔２４とは、異物侵入防止材７０Ｃが存在することなく連通するため、弁体２０の開閉動作に支障を生じない。
また、第３実施形態によれば、プランジャー３０の先端へのディスク３１の取り付け時に異物侵入防止材７０Ｃを取り付けることができるため、製造工程の負担を軽減できるとともに、確実な取り付けを行える。
また、第３実施形態によれば、止め輪７３Ｃを用いることで異物侵入防止材７０Ｃの確実な取り付けを行うことができる。
また、第３実施形態によれば、リング状凹部５３の外周面５３ｙによって止め輪７３Ｃを容易に取り付けることができる。
なお、第３実施形態における外周部７２Ｃは、第１実施形態のように止め輪７３Ａとリング状凹部５３の内周面５３ｘとの間にはめ込んで取り付けても良い。
【００３６】
図６は図１に示す電磁弁の第４実施形態の要部断面図である。
図６に示す第４実施形態による電磁弁１Ｄは、異物侵入防止材７０Ｄをリング状に形成し、異物侵入防止材７０Ｄの内周部７１Ｄをプランジャー３０の先端に取り付け、異物侵入防止材７０Ｄの外周部７２Ｄを拡大部５２に取り付けている。
異物侵入防止材７０Ｄのプランジャー３０の先端への取り付けには、ディスク３１を用いている。プランジャー３０の先端には、ディスク３１をはめ込む凹部が形成されている。異物侵入防止材７０Ｄの内周部７１Ｄは、ディスク３１によってこの凹部にはめ込まれる。
異物侵入防止材７０Ｄの外周部７２Ｄは、超音波溶着によって拡大部５２に取り付けている。拡大部５２には、リング状凹部５３を有し、リング状凹部５３の底面５３ｚに外周部７２Ｄを超音波溶着によって取り付ける。
【００３７】
第４実施形態によれば、パイロット孔２３とバイパス孔２４とは、異物侵入防止材７０Ｄが存在することなく連通するため、弁体２０の開閉動作に支障を生じない。
また、第４実施形態によれば、プランジャー３０の先端へのディスク３１の取り付け時に異物侵入防止材７０Ｄを取り付けることができるため、製造工程の負担を軽減できるとともに、確実な取り付けを行える。
また、第４実施形態によれば、超音波溶着によって異物侵入防止材７０Ｄの確実な取り付けを行える。
なお、第４実施形態は、リング状に形成した異物侵入防止材７０Ｄを用いているが、異物侵入防止材７０Ｄは円盤状に形成したものであっても、超音波溶着による取り付けを行える。
【産業上の利用可能性】
【００３８】
本発明によれば、プランジャーの摺動動作を安定して行わせることができる。
【符号の説明】
【００３９】
１、１Ａ、１B、１C、１Ｄ  電磁弁
１０  ボディ
１１  流入管路
１２  流出管路
１３  弁座
１４  フィルター
２０  弁体
２１  ダイヤフラムプレート
２１ａ  第１突出部
２１ｂ  第２突出部
２２  ダイヤフラム
２２ａ  ダイヤフラム外周部
２２ｂ  ダイヤフラム内周部
２３  パイロット孔
２４  バイパス孔
３０  プランジャー
３１  ディスク
３２  バネ
４０  電磁コイル
５０  プランジャーガイド
５１  筒部
５２  拡大部
５３  リング状凹部
５３ｘ  内周面
５３ｙ  外周面
５３ｚ  底面
６０  背圧室
７０、７０Ａ、７０B、７０C、７０Ｄ  異物侵入防止材
７１Ａ、７１Ｂ  中心部
７１Ｃ、７１Ｄ  内周部
７２Ａ、７２B、７２Ｃ、７２D  外周部
７３Ａ、７３Ｂ、７３Ｃ  止め輪
８１  貯湯タンク
８２  加熱ユニット
８２ａ  圧縮機
８２ｂ  水熱交換器
８２ｃ  膨張弁
８２ｄ  空気熱交換器
８３  給水管
８４  出湯管
８５  減圧弁
８６  混合弁
８７  給水分岐管
８８  往き管
８８ａ  ポンプ
８９  戻り管
８９ａ  三方弁
８９ｂ  タンク上戻り管
８９ｃ  タンク下戻り管
【図１】
2019049313.tif 000003
【図２】
2019049313.tif 000004
【図３】
2019049313.tif 000005
【図４】
2019049313.tif 000006
【図５】
2019049313.tif 000007
【図６】
2019049313.tif 000008
【図７】
2019049313.tif 000009